(57)【特許請求の範囲】
【請求項１】
携帯電話機を保持するための携帯電話機保持機構部を設け、該保持機構部下面に有孔の突片を突設し、該保持機構部を調節的に取付可能なる腕用装着体を設け、該腕用装着体は腕にあてがうための帯状弾性体を有し、該帯状弾性体上部に、その側面に雌ねじを刻設するとともに該雌ねじに螺合するつまみを有する短管よりなる支管体を立設し、該支管体内に出入り可能なる有孔のスライド管を設け、前記突片の孔とスライド管の孔とが重ね合わされて雄ねじを有するつまみとナットにて支管体に対する突片および携帯電話機保持機構部の固定と固定解除が選択可能として、腕に装着した腕用装着体に対する携帯電話機保持機構部の位置と角度の可変を可能とし、該腕用装着体を腕に巻回保持させる手段を有するものとして、以上の携帯電話機保持機構部と腕用装着体の組み合わせよりなることを特徴とする腕用携帯電話機保持具。
【請求項２】
携帯電話機保持機構部を、装着する携帯電話機サイズに対するアジャスト機能を有するものとしてなる請求項１記載の腕用携帯電話機保持具。
【発明の詳細な説明】
【技術分野】
【０００１】  この発明は、指などの不自由な人でも容易に携帯電話機を操作使用することのできる、腕に保持可能なる携帯電話機用の保持具に関する。
【背景技術】
【０００２】  従来より、携帯電話機を人体に保持するものは見あたらなかったが、以前に当方が出願し権利化された角度位置調整型携帯電話機保持具（特許４５３５４０５）があるのみである。
【発明の開示】
【発明が解決しようとする課題】
【０００３】  携帯電話機は今や生活の必需品として、多く利用されている。その名の示すとおり、携帯して使用する電話機であり、小型軽量のため便利に利用されている。
健常者では片手に携帯電話機を持ち、他方の指で操作するが、たとえば片手が不自由でものを握持できない人の場合は、携帯電話機操作とりわけ耳の近くに携帯電話機を持って行くことは困難である。つまりこのような人にとっては携帯電話機を十分に使用できないという問題がある。前記の特許においては、人体にたすき掛けに設けたベルトに携帯電話機を装着するものであるため、大がかりなものとなるので、その改善案として今回の発明を行い、腕に携帯電話機を装着保持することにて、より簡便な用具にて目的を達するものとしたのである。
【課題を解決するための手段】
【０００４】  課題を解決する手段として本発明は以下の構成とした。
すなわち、携帯電話機を保持するための携帯電話機保持機構部を設け、該保持機構部を調節的に取付可能なる腕用装着体を設け、該腕用装着体を、腕に巻回保持させる手段を有するものとして、以上の携帯電話機保持機構部と腕用装着体を組み合わせる。
本発明は以上の構成よりなる腕用携帯電話機保持具である。
【発明の効果】
【０００５】  本発明によれば、携帯電話機を保持させた携帯電話機保持機構部を、その位置と角度調整可能に腕用装着体に取り付けることができ、この腕用装着体を面ファスナー係止方式にて任意の腕とその位置を選択して取り付けることができて、肘を曲げてその腕を動かすことにて、取り付けられた携帯電話機を耳近傍に位置させて通話することのできる便利な用具を得ることができる。また、この携帯電話機保持機構部は、携帯電話機サイズに対するアジャスト機能を有するので、サイズの異なる種々の携帯電話機に対応することができる。
【発明を実施するための最良の形態】
【０００６】  以下、本発明の実施形態について説明する。
図において、１は携帯電話機保持機構部である。
２は金属板による上部背板で、その中央上部は略方形に切除されている。上部背板の上部左端は折曲されて立ち上がる突片状の巻回用上面部突片３が一体に設けられ、該突片の中央上部はＶ形に切除されてＶ形切除部４が設けられる。この突片外面には雄ねじが突設され、ここにワイヤー保持用蝶ナット５がワッシャを介して螺合される。
上部背板の上部下面右端は略コ字形に折曲された小突片よりなる巻回用下面部突片６が形成される。上部背板裏面上部中央には雄ねじ７が突設され、有孔の押さえ板８を介して装着補助板用蝶ナット９が該雄ねじに螺合する。
１０は上部背板と近似サイズ金属板による下部背板である。１１は下部背板の下端一部を直角に折曲してなる突片で、その中央にスリット１２が設けられる。
１３は下部押さえ板で、Ｌ形小金属板の一部に雄ねじを固着し、他方内面にスポンジによるクッション材１４を固着して形成される。１５はＬ形細長小金属板による一対の側方押さえ板で、その中央にはスリット１６が形成される。
下部押さえ板はクッション材を下方にしてその雄ねじは突片１１のスリットを貫通し、スリット１６をも貫通して突出し、この突出した雄ねじに押さえ板用蝶ナット１７が螺合する。従って図４にて示すように、この蝶ナット１７を締めることにて下部押さえ板と側方押さえ板の位置が固定され、ゆるめることにて各板の位置調整が可能となる。【０００７】  １８はスリット板である。このスリット板は上下部の背板よりやや幅狭の金属板であり、一対のスリット１９が設けられている。このスリット板の上部は前記の上部背板裏面に固着されている。下部背板の裏面適所には一対の雄ねじ２０が固着立設され、この雄ねじはスリット１９内より突出し、下部背板用蝶ナット２１が螺合する。従って、この蝶ナット２１の調整にて、上部背板に対する下部背板の上下方向位置をスリット範囲内にて調整することができる。２２は下部背板裏面下方に螺着される装着補助板用固定板である。この固定板は中央部を折曲して図４に示すように固定面と少しの間隙を生ずるよう形成され、その両端近傍に孔が穿設され、下部背板適所に設けられる雌ねじを利用して、この固定板はビスにて螺着される。また、該固定板中央に雌ねじが刻設され、ここに雄ねじを有するつまみ２３が螺合する。以上にて、携帯電話機保持機構部が構成される。
３０は巻回ワイヤーで、その一端にはループ３１が設けられる。
４０は装着補助板で、金属製細長小板体の短辺中央に切除部４１を設け、長辺の略中央側部には突片４２が立設され、該突片適所に孔４３が穿設されて形成される。【０００８】  ５０は腕用装着体である。５１は木製角棒による主棒、５２は上部に弾性被覆布が下部に植毛布を有し、端部を主棒上面に固定される上部帯状弾性体であり、この弾性体は略円弧状に湾曲形成され、主棒から離れるにつれて下降して位置する。この弾性体の主棒寄りの内部には金属板が位置している。５３は固定板で、前記弾性体と近似巾の金属板であって前記弾性体内部金属板に対し、前記弾性体上面にリベット止めされる。
５４は支管体で、金属製短管であり、該固定板上面に固着立設される。５５はスライド管で、支管体内部に挿入可能な外径を有する短管体で、その上部は押圧にて偏平に加工され、孔５６を有している。また、支管体側面には雌ねじが刻設され、ここに雄ねじを有するつまみ５７が螺合する。５８は細長金属板による固定板で、帯状弾性体の端部近傍上面に固着される。５９は金属短管による固定管で、固定板５８の端部上面に適宜距離を有して一対が固着される。６０は金属線を四角枠状に形成してなるリングで、その一部は前記固定管内に位置し、固定管と対峙する平行部分は金属小短管による遊管６１内に位置し、このリングは固定管に対し回動可能である。【０００９】  ６２は下部帯状弾性体で、上部帯状弾性体と同材質の長方形状物品であり、その上部は主棒側面に固定される。６３は所定長所定巾の面ファスナー雌片による内方巻回ベルトで、その上部は該弾性体６２に固定され、下部には面ファスナー雄片６４が縫着される。
この内方巻回ベルトは一対が所定距離を有して設けられる。６５は一対の外方巻回ベルトで、主棒に設けた角穴６６を挿通して端部縫着にて取り付けられ、その長さは前記内方巻回ベルトより長く、その下部には面ファスナー雌片６７が縫着され、この雌片下方に面ファスナー雄片６８が各々縫着され、従ってこの外方巻回ベルトは各々内方巻回ベルトの外側に設けられる。以上にて、腕用装着体５０が構成される。【００１０】  次に、本発明の使用について説明する。
まず携帯電話機保持機構部背面に装着補助板を取り付ける。装着補助板用蝶ナット９を緩め、またつまみ２３を緩めて、下部背板裏面の装着補助板用固定板と下部背板との間隙に、装着補助板の下部を挿入し、該補助板上部の切除部４１を雄ねじ７に挿入し、蝶ナット９およびつまみ２３を締めることにより、この装着補助板は突片４２を突き出した状態にて下部背板に固定される。
押さえ板用蝶ナット１７を緩め、携帯電話機を背板上方より挿入し、側方押さえ板および下部押さえ板が携帯電話機の下部に当接するよう調整し、この押さえ板用蝶ナットを締める。
ワイヤー保持用蝶ナットを緩めて外し、巻回ワイヤー３０のループ３１を雄ねじに引っ掛け、ワッシャを挿入し、ワイヤー保持用蝶ナットを締める。その後、該ワイヤーを背板後面に廻し、巻回用下面部突片に巻き付けてから携帯電話機の上面に沿わせてＶ形切除部を経て再び背板後面に廻し、巻回用上面部突片３とワッシャ間にこのワイヤーを数回巻き付ける。以上の作業にて、携帯電話機は携帯電話機保持機構部に固定される。【００１１】  スライド管５５を備えた腕用装着体を準備し、携帯電話機保持機構部に備わった突片４２の孔４３とスライド管の孔５６とを一致させ、別に設けた雄ねじを有するつまみと蝶ナットにて突片とスライド管を固定する。これが図１１の状態である。
次に、これを腕に取り付ける作業を行う。
左腕に装着するときは、腕の外方に主棒をあてがい、外方巻回ベルト６５を腕の上部に回して数回巻き付け、露出している面ファスナー雌片に面ファスナー雄片を押圧係止する。
これを双方の外方巻回ベルトについて行う。内方巻回ベルトを腕の下方から回してリング６０内を下方から通し、折り返して相互の面ファスナーにて係止する。これを双方の内方巻回ベルトについて行う。これが図１５の状態である。
携帯電話機を使用するときは、装着した腕の肘を曲げて携帯電話機を耳近傍に位置させることにより、携帯電話機を握持することなく使用することができる。本装置を腕から離脱させるときは、既述と逆の手順にて行う。
本発明では主棒と上部帯状弾性体にて腕に対する携帯電話機の位置が安定し、４本のベルトにてその位置を保持して携帯電話機を用いることができる。【００１２】  以上、本発明について記したが、本発明は携帯電話機を手で握持せずとも通話できるところにその特徴を有するものである。従来はこのような用具がなく、健常者のように手で携帯電話機を握持できない方にとっては通話が不便であったが、本発明にてこれが解消できるものとなったのである。本発明は、主棒と上下部の帯状弾性体を用い、この主棒にて各部は腕に対する位置安定となり、各弾性体と巻回ベルトにて、本装置はしっかりと腕に固定されるために、携帯電話機に対して安定した位置を保つことができるのである。
また、腕用装着体に対して、携帯電話機を保持している携帯電話機保持機構部はその角度を可変設定することができるために、使用者の体格や好みに適合したセッティングが可能である。そして、携帯電話機保持機構部にはアジャスト機能が設けられており、サイズの異なる携帯電話機にも対応することができる。なお、記述例では面ファスナーによる巻回ベルトの係止としたが、他の係止手段を用いてもよい。例示は実施の一例であり、近似の他の構成としてもよい。
以上のごとく、本発明によって手や指の不自由な方にとって便利なる携帯電話機用の用具を得ることができる。
【図面の簡単な説明】
【００１３】
【図１】  本発明の携帯電話機保持機構部の正面図
【図２】  本発明の携帯電話機保持機構部の背面図
【図３】  本発明の携帯電話機保持機構部の右側面図
【図４】  本発明の携帯電話機保持機構部の底面図
【図５】  本発明の巻回ワイヤーの正面図
【図６】  本発明の装着補助板の平面図
【図７】  本発明の装着補助板の正面図
【図８】  本発明の装着補助板の右側面図
【図９】  本発明の携帯電話機保持機構部の背面図（装着補助板取付状態）
【図１０】  本発明の携帯電話機保持機構部の正面図（携帯電話機保持状態）
【図１１】  本発明の携帯電話機保持機構部の右側面図（携帯電話機保持状態）
【図１２】  本発明の携帯電話機保持機構部の平面図
【図１３】  本発明の携帯電話機保持機構部の正面図
【図１４】  本発明の携帯電話機保持機構部の正面図（携帯電話機を取り付けた携帯電話機保持機構部取付状態）
【図１５】  本発明の本発明装着使用状態参考図
【符号の説明】
【００１４】１    携帯電話機保持機構部
２    上部背板
３    巻回用上面部突片
４    Ｖ形切除部
５    ワイヤー保持用蝶ナット
６    巻回用下面部突片
７    雄ねじ
８    押さえ板
９    装着補助板用蝶ナット
１０  下部背板
１１  突片
１２  スリット
１３  下部押さえ板
１４  クッション材
１５  側方押さえ板
１６  スリット
１７  押さえ板用蝶ナット
１８  スリット板
１９  スリット
２０  雄ねじ
２１  下部背板用蝶ナット
２２  装着補助板用固定板
２３  つまみ
３０  巻回ワイヤー
３１  ループ
３２  携帯電話機
４０  装着補助板
４１  切除部
４２  突片
４３  孔
５０  腕用装着体
５１  主棒
５２  上部帯状弾性体
５３  固定板
５４  支管体
５５  スライド管
５６  孔
５７  つまみ
５８  固定板
５９  固定管
６０  リング
６１  遊管
６２  下部帯状弾性体
６３  内方巻回ベルト
６４  面ファスナー雄片
６５  外方巻回ベルト
６６  角穴
６７  面ファスナー雌片
６８  面ファスナー雄片
【要約】
【課題】手や指の不自由な人でも容易に通話するための携帯電話機保持具を提供する。
【解決手段】携帯電話機を保持するための携帯電話機保持機構部を設け、該保持機構部を調節的に取付可能なる腕用装着体を設け、該腕用装着体を、腕に巻回保持させる手段を有するものとして、以上の携帯電話機保持機構部と腕用装着体の組み合わせよりなることを特徴とする。
【選択図】図１４【図１】
0004713687.tif 000002
【図２】
0004713687.tif 000003
【図３】
0004713687.tif 000004
【図４】
0004713687.tif 000005
【図５】
0004713687.tif 000006
【図６】
0004713687.tif 000007
【図７】
0004713687.tif 000008
【図８】
0004713687.tif 000009
【図９】
0004713687.tif 000010
【図１０】
0004713687.tif 000011
【図１１】
0004713687.tif 000012
【図１２】
0004713687.tif 000013
【図１３】
0004713687.tif 000014
【図１４】
0004713687.tif 000015
【図１５】
0004713687.tif 000016